(57)【要約】血管などの内腔における閉塞を崩壊させる振動カテーテルは、細長い柔軟なカテーテル本体であって、近位端と、遠位端と、該カテーテル本体を通して長手方向に伸びる少なくとも一つの内腔とを有する、カテーテル本体と；カテーテル本体の内腔を通して長手方向に伸び、近位端と遠位端とを有する、振動伝達部材と；伝達部材を振動エネルギー源に結合するための、振動伝達部材の近位端に取り付けられた境界コネクタとを含む。境界コネクタはボアを含み、振動伝達部材の近位端がボアの中に伸びる。境界コネクタが、ボアの内部に収容された振動伝達部材の、取り付けられた最も遠位の部分に、最も小さな大きさの取り付け力を及ぼすように、振動伝達部材の近位端が、境界コネクタのボアの内部に可変取り付け力によって取り付けられる。
2008528106.tif 000002
【特許請求の範囲】
【請求項１】
血管などの内腔における閉塞を崩壊する振動カテーテルであって、該カテーテルは、
細長い柔軟なカテーテル本体であって、近位端と、遠位端と、該カテーテルを通して長手方向に伸びる少なくとも一つの内腔と有する、カテーテル本体と、
該カテーテル本体の該内腔を通して長手方向に伸び、近位端と遠位端とを有する、振動伝達部材と、
該伝達部材を振動エネルギー源に結合するための、該振動伝達部材の該近位端に取り付けられた境界コネクタであって、該境界コネクタはボアを備え、該ボアの中に該振動伝達部材の該近位端が伸びる、境界コネクタと
を備え、
該境界コネクタが、該ボアの内部に収容された該振動伝達部材の、取り付けられた最も遠位の部分に、最も小さな大きさの取り付け力を及ぼすように、該振動伝達部材の該近位端が、可変取り付け力によって該境界コネクタの該ボアの内部に取り付けられる、カテーテル。
【請求項２】
前記振動エネルギー源が、トランスデューサを備える、請求項１に記載の振動カテーテル。
【請求項３】
前記トランスデューサが、超音波トランスデューサを備える、請求項２に記載の振動カテーテル。
【請求項４】
前記境界コネクタが、一緒に取り付けられた複数のピースを備える、請求項１に記載の振動カテーテル。
【請求項５】
前記境界コネクタが、ワンピース構成を備える、請求項１に記載の振動カテーテル。
【請求項６】
前記境界コネクタがスレッドを備え、該スレッドが前記振動エネルギー源上のスレッドに対して相補的である、請求項１に記載の振動カテーテル。
【請求項７】
前記境界コネクタが、近位から遠位にテーパーされた遠位部分を備え、該遠位部分が、前記ボアの近位末端から該ボアの遠位開口部へと伸びる、請求項１に記載の振動カテーテル。
【請求項８】
前記遠位部分のより狭い遠位の部分に対するよりも、該遠位部分のより広い近位の部分に対して、より大きなクリンピング力を加えるために、前記境界コネクタの前記テーパーされた遠位部分をクリンピングすることによって、前記振動伝達部材が前記ボアの内部に取り付けられる、請求項７に記載の振動カテーテル。
【請求項９】
前記境界コネクタが遠位部分を備え、該遠位部分が、
第１の半径を有し、前記ボアの近位末端から遠位に伸びる、第１の階段状の部分と、
該第１の半径よりも小さな第２の半径を有し、該第１の階段状の部分の遠位端から該ボアの遠位開口部へと伸びる、第２の階段状の部分と
を備える、請求項１に記載の振動カテーテル。
【請求項１０】
前記第１の階段状の部分をクリンピングすることによって、前記振動伝達部材が前記ボアの内部に取り付けられ、その結果、前記第２の階段状の部分よりも該第１の階段状の部分に対して、より大きなクリンピング力を加える、請求項９に記載の振動カテーテル。
【請求項１１】
前記ボアが、
第１の半径を有し、該ボアの近位末端から遠位に伸びる、第１の階段状の部分と、
該第１の半径よりも大きな第２の半径を有し、該第１の階段状の部分の遠位端から該ボアの遠位開口部へと伸びる、第２の階段状の部分と
を備える、請求項１に記載の振動カテーテル。
【請求項１２】
前記境界コネクタをクリンピングすることによって、前記振動伝達部材が前記ボアの内部に取り付けられ、その結果、前記第２の階段状の部分よりも前記第１の階段状の部分に対して、より大きなクリンピング力を加える、請求項１１に記載の振動カテーテル。
【請求項１３】
クリンピングする前に、前記振動伝達部材と、前記ボアの前記第２の階段状の部分との間に、スペースが存在し、クリンピングの間に該スペースが閉じる、請求項１１に記載の振動カテーテル。
【請求項１４】
前記ボアが、該ボアの遠位開口部のより大きな内径から、該ボアの近位末端のより小さな内径へと、テーパーされる、請求項１に記載の振動カテーテル。
【請求項１５】
前記境界コネクタをクリンピングすることによって、前記振動伝達部材が前記ボアの内部に取り付けられ、その結果、前記遠位開口部よりも前記ボアの前記近位末端において、より大きなクリンピング力を加える、請求項１４に記載の振動カテーテル。
【請求項１６】
クリンピングする前に、前記振動伝達部材と、前記ボアの前記遠位開口部の内径との間に、スペースが存在し、クリンピングの間に該スペースが閉じる、請求項１４に記載の振動カテーテル。
【請求項１７】
血管などの内腔における閉塞を崩壊させる振動カテーテルであって、該カテーテルは、
細長い柔軟なカテーテル本体であって、近位端と、遠位端と、該カテーテルを通して長手方向に伸びる少なくとも一つの内腔とを有する、カテーテル本体と、
該カテーテル本体の該内腔を通して長手方向に伸び、近位端と遠位端とを有する、振動伝達部材と、
境界コネクタと
を備え、該境界コネクタは、
該境界コネクタを振動エネルギー源に取り付ける近位接続部材と、
該振動伝達部材の該近位端を受け入れるための、該境界コネクタの遠位端に開口部を有して該境界コネクタの中に伸びる、ボアと
を備え、
該境界コネクタが、該伝達部材の最も近位の部分に対してすぐ遠位の近隣部分におけるよりも、該伝達部材の最も近位の部分において、より大きな大きさの取り付け力を及ぼすように、該振動伝達部材の該近位端が、該境界コネクタの該遠位ボアの内部に取り付けられる、カテーテル。
【請求項１８】
前記振動エネルギー源が、トランスデューサを備える、請求項１７に記載の振動カテーテル。
【請求項１９】
前記トランスデューサが、超音波トランスデューサを備える、請求項１８に記載の振動カテーテル。
【請求項２０】
前記境界コネクタが、一緒に取り付けられた複数のピースを備える、請求項１７に記載の振動カテーテル。
【請求項２１】
前記境界コネクタが、ワンピース構成を備える、請求項１７に記載の振動カテーテル。
【請求項２２】
前記境界コネクタの前記近位接続部材が、スレッドを備え、該スレッドが、前記振動エネルギー源上のスレッドに対して相補的である、請求項１７に記載の振動カテーテル。
【請求項２３】
前記境界コネクタが、近位から遠位にテーパーされた遠位部分を備え、該遠位部分が、前記ボアの近位末端から該ボアの前記開口部へと伸びる、請求項１７に記載の振動カテーテル。
【請求項２４】
前記遠位部分のより狭い遠位の部分に対するよりも、該遠位部分のより広い近位の部分に対して、より大きなクリンピング力を加えるために、前記境界コネクタの前記テーパーされた遠位部分をクリンピングすることによって、前記振動伝達部材が前記ボアの内部に取り付けられる、請求項２３に記載の振動カテーテル。
【請求項２５】
前記境界コネクタが遠位部分を備え、該遠位部分が、
第１の半径を有し、前記ボアの近位末端から遠位に伸びる、第１の階段状の部分と、
該第１の半径よりも小さな第２の半径を有し、該第１の階段状の遠位端の部分から該ボアの遠位開口部へと伸びる、第２の階段状の部分と
を備える、請求項１７に記載の振動カテーテル。
【請求項２６】
前記第１の階段状の部分をクリンピングすることによって、前記振動伝達部材が前記ボアの内部に取り付けられ、その結果、前記第２の階段状の部分に対するよりも、該第１の階段状の部分に対して、より大きなクリンピング力を加える、請求項２５に記載の振動カテーテル。
【請求項２７】
前記ボアが、
第１の半径を有し、該ボアの近位末端から遠位に伸びる、第１の階段状の部分と、
該第１の半径よりも大きな第２の半径を有し、該第１の階段状の部分の遠位端から該ボアの前記遠位開口部へと伸びる、第２の階段状の部分と
を備える、請求項１７に記載の振動カテーテル。
【請求項２８】
前記境界コネクタをクリンピングすることによって、前記振動伝達部材が該ボアの内部に取り付けられ、その結果、前記第２の階段状の部分よりも前記第１の階段状の部分に対して、より大きなクリンピング力を加える、請求項２７に記載の振動カテーテル。
【請求項２９】
クリンピングする前に、前記伝達部材と、前記ボアの前記第２の階段状の部分との間に、スペースが存在し、クリンピングの間に該スペースが閉じる、請求項２７に記載の振動カテーテル。
【請求項３０】
前記ボアが、該ボアの遠位開口部のより大きな内径から、該ボアの近位末端のより小さな内径へと、テーパーされる、請求項１７に記載の振動カテーテル。
【請求項３１】
前記境界コネクタをクリンピングすることによって、前記振動伝達部材が前記ボアの内部に取り付けられ、その結果、前記遠位開口部よりも前記ボアの前記近位末端において、より大きなクリンピング力を加える、請求項３０に記載の振動カテーテル。
【請求項３２】
クリンピングする前に、前記伝達部材と、前記ボアの前記遠位開口部の内径との間に、スペースが存在し、クリンピングの間に該スペースが閉じる、請求項３０に記載の振動カテーテル。
【請求項３３】
血管などの内腔における閉塞を崩壊させる振動カテーテルを製造する方法であって、該方法は、
振動伝達部材の近位端を、該カテーテルの境界コネクタにおけるボアの中に挿入することと、
該境界コネクタの少なくとも一部をクリンピングすることによって、該振動伝達部材の該近位端を該ボアの内部に取り付けることと
を包含し、
該境界コネクタが、該ボアの内部に収容された該振動伝達部材の、取り付けられた最も遠位の部分に対して、最も小さな大きさの取り付け力を及ぼすように、大きさが可変の大きさのクリンピング力を加えることによって、該伝達部材を該ボアの内部に取り付ける、方法。
【請求項３４】
前記クリンピングが、前記振動伝達部材と平行な接触面を有するクリンピングツールを用いて実行され、より大きな大きさのクリンピング力が、前記ボアの上にある前記境界コネクタの形成された部分を介して加えられる、請求項３３に記載の方法。
【請求項３５】
前記クリンピングが、前記振動伝達部材と平行な接触面を有するクリンピングツールを用いて実行され、より大きな大きさのクリンピング力が、形成された部分を介して加えられる、請求項３３に記載の方法。
【請求項３６】
前記クリンピングが、前記ボアの上にある前記境界コネクタのより遠位の部分に接触する前に、該ボアの上にある該境界コネクタの近位部分に接触する接触面を有する、テーパーされたクリンピングツールを用いて実行される、請求項３３に記載の方法。
【請求項３７】
前記クリンピングが、２つ以上のクリンピング部材を用いて実行され、より近位のクリンピング部材が、より遠位のクリンピング部材よりも大きな力を加える、請求項３３に記載の方法。
【請求項３８】
前記クリンピングが、
クリンピングツールを用いて、前記伝達部材の最も近位の部分の上にある前記境界コネクタの第１の部分をクリンピングすることと、
該クリンピングツールを該境界コネクタに沿って遠位に移動させることと、
該伝達部材の近隣部分の上にある該境界コネクタの第２の部分をクリンピングすることと
を包含する、請求項３３に記載の方法。
【請求項３９】
血管などの内腔における閉塞を崩壊させる振動カテーテルを製造する方法であって、該方法は、
振動伝達部材の近位端を、該カテーテルの境界コネクタにおけるボアの中に挿入することと、
該境界コネクタの少なくとも一部をクリンピングすることによって、該振動伝達部材の該近位端を該ボアの内部に取り付けることと
を包含し、
該境界コネクタが、該伝達部材の最も近位の部分に対してすぐ遠位の近隣部分におけるよりも、該伝達部材の取り付けられた最も近位の部分において、より大きな大きさの取り付け力を及ぼすように、該振動伝達部材の該近位端が、該境界コネクタの該遠位ボアの内部に取り付けられる、方法。
【請求項４０】
前記クリンピングが、前記振動伝達部材と平行な接触面を有するクリンピングツールを用いて実行され、より大きな大きさのクリンピング力が、前記ボアの上にある前記境界コネクタの形成された部分を介して加えられる、請求項３９に記載の方法。
【請求項４１】
前記クリンピングが、前記振動伝達部材と平行な接触面を有するクリンピングツールを用いて実行され、より大きな大きさのクリンピング力が、形成された部分を介して加えられる、請求項３９に記載の方法。
【請求項４２】
前記クリンピングが、前記ボアの上にある前記境界コネクタのより遠位の部分に接触する前に、該ボアの上にある該境界コネクタの近位部分に接触する接触面を有する、テーパーされたクリンピングツールを用いて実行される、請求項３９に記載の方法。
【請求項４３】
前記クリンピングが、２つ以上のクリンピング部材を用いて実行され、より近位のクリンピング部材が、より遠位のクリンピング部材よりも大きな力を加える、請求項３９に記載の方法。
【請求項４４】
前記クリンピングが、
クリンピングツールを用いて、前記伝達部材の最も近位の部分の上にある前記境界コネクタの第１の部分をクリンピングすることと、
該クリンピングツールを該境界コネクタに沿って遠位に移動させることと、
該伝達部材の近隣部分の上にある該境界コネクタの第２の部分をクリンピングすることと
を包含する、請求項３９に記載の方法。
【発明の詳細な説明】
【技術分野】
【０００１】
本出願は、以下の米国特許出願に関連する。２００２年８月２６日に出願された「Ｕｌｔｒａｓｏｕｎｄ  Ｃａｔｈｅｔｅｒ  ｆｏｒ  Ｄｉｓｒｕｐｔｉｎｇ  Ｂｌｏｏｄ  Ｖｅｓｓｅｌ  Ｏｂｓｔｒｕｃｔｉｏｎｓ」というタイトルの第１０／２２９，３７１号（代理人整理番号０２１５７７−０００４００ＵＳ）、２００３年１月１４日に出願された「Ｕｌｔｒａｓｏｕｎｄ  Ｃａｔｈｅｔｅｒ  ａｎｄ  Ｍｅｔｈｏｄｓ  ｆｏｒ  Ｍａｋｉｎｇ  ａｎｄ  Ｕｓｉｎｇ  Ｓａｍｅ」というタイトルの第１０／３４５，０７８号（代理人整理番号０２１５７７−０００６００ＵＳ）、２００３年２月２６日に出願された「Ｕｌｔｒａｓｏｕｎｄ  Ｃａｔｈｅｔｅｒ  Ａｐｐａｒａｔｕｓ」というタイトルの第１０／３７５，９０３号（代理人整理番号０２１５７７−０００７００ＵＳ）、２００３年４月８日に出願された「Ｉｍｐｒｏｖｅｄ  Ｕｌｔｒａｓｏｕｎｄ  Ｃａｔｈｅｔｅｒ  Ｄｅｖｉｃｅｓ  ａｎｄ  Ｍｅｔｈｏｄｓ」というタイトルの第１０／４１０，６１７号（代理人整理番号０２１５７７−０００８００ＵＳ）、２００３年１１月２４日に出願された「Ｓｔｅｅｒａｂｌｅ  Ｕｌｔｒａｓｏｕｎｄ  Ｃａｔｈｅｔｅｒ」というタイトルの第１０／７２２，２０９号（代理人整理番号０２１５７７−０００９００ＵＳ）、および２００４年８月２６日に出願された「Ｉｍｐｒｏｖｅｄ  Ｕｌｔｒａｓｏｕｎｄ  Ｃａｔｈｅｔｅｒ  Ｄｅｖｉｃｅｓ  ａｎｄ  Ｍｅｔｈｏｄｓ」というタイトルの第１０／９２７，９６６号（代理人整理番号０２１５７７−００１０００ＵＳ）。上記に列挙された特許出願のすべての完全な開示は、参照によって本明細書によってすべて援用されている。
【０００２】
本発明は、一般的に医療用のデバイスおよび方法に関する。より具体的には、本発明は、閉塞性の血管内の病変を治療するための振動カテーテルデバイスおよび方法に関する。
【背景技術】
【０００３】
血管内の閉塞を除去するかさもなければ崩壊させるために、種々のタイプの振動伝達部材を使用するカテーテルが首尾良く利用されている。具体的には、大腿動脈などの末梢血管からアテローム性動脈硬化性プラークまたは血栓塞栓性閉塞を除去することが、特に成功している。血管から閉塞性物質を除去するかさもなければ崩壊させることに使用するために、種々の振動カテーテルデバイスが開発されている。たとえば、本発明の発明者に対して発行され、参照によって本明細書によって援用されている、特許文献１および２は、閉塞を取り除くための超音波カテーテルを記載している。血管から閉塞を取り除くための超音波除去デバイスの他の例は、米国特許第３，４３３，２２６号（Ｂｏｙｄ）、米国特許第３，８２３，７１７号（Ｐｏｈｌｍａｎら）、米国特許第４，８０８，１５３号（Ｐａｒｉｓｉ）、米国特許第４，９３６，２８１号（Ｓｔａｓｚ）、米国特許第３，５６５，０６２号（Ｋｕｒｉｓ）、米国特許第４，９２４，８６３号（Ｓｔｅｒｚｅｒ）、米国特許第４，８７０，９５３号（Ｄｏｎ  Ｍｉｃｈａｅｌら）、米国特許第４，９２０，９５４号（Ａｌｌｉｇｅｒら）、ならびに国際公開第８７−０５７３９号パンフレット（Ｃｏｏｐｅｒ）、国際公開第８９−０６５１５号パンフレット（Ｂｅｒｎｓｔｅｉｎら）、国際公開第９０−０１３０号パンフレット（Ｓｏｎｉｃ  Ｎｅｅｄｌｅ  Ｃｏｒｐ．）、欧州特許第３１６７８９号明細書（Ｄｏｎ  Ｍｉｃｈａｅｌら）、独国特許第３，８２１，８３６号明細書（Ｓｃｈｕｂｅｒｔ）、および独国特許第２４３８６４８号明細書（Ｐｏｈｌｍａｎ）に記載されているものを含む。多くの振動カテーテルが開発されているが、いまだに改善が追求されている。
【０００４】
一般的に、閉塞物質を除去するための振動カテーテルシステムは、３つの基本的コンポーネントを含む。すなわち、振動エネルギージェネレータ、トランスデューサ、および振動カテーテルである。ジェネレータは、ラインパワーを高周波電流に変換し、高周波電流はトランスデューサに渡される（ｄｅｌｉｖｅｒｅｄ）。トランスデューサは、圧電結晶を含み、圧電結晶は、高周波電流によって励起されるときに高周波数で拡張および縮小する。（トランスデューサおよびカテーテルの軸に対して相対的な）これらの小さな高周波数の拡張は、トランスデューサホーンによって振動エネルギーに増幅される。振動は次に、トランスデューサから、振動伝達部材（またはワイヤ）を介して、振動カテーテルを通して伝達される。伝達部材は、振動エネルギーをカテーテルの遠位端に伝達し、この遠位端において、血管の閉塞を除去するかさもなければ崩壊させるためにエネルギーが使用される。
【０００５】
血管内の閉塞の治療のために種々のサイトに効率的に到達するために、上述のタイプの振動カテーテルは、一般的に約１５０ｃｍ以上の長さを有する。大動脈弓、冠状血管、および下肢の末梢脈管構造などの、小さなおよび／または蛇行性の血管を通してそのような振動カテーテルが前進することを可能にするために、カテーテル（およびそれぞれの超音波伝達ワイヤ）は、一般的に十分に小さく柔軟でなければならない。さらに、長くて細い超音波伝達ワイヤに沿って超音波エネルギーが減衰するので、遠位端において所望の量のエネルギーを提供するためには、十分な量の振動エネルギーがワイヤの近位端に加えられなければならない。
【０００６】
血管の閉塞を治療するための振動カテーテルの開発において継続している一つの課題は、カテーテルデバイスの遠位端において適切な振動エネルギーを提供しながら、同時に、振動伝達ワイヤがトランスデューサと接続する箇所において振動伝達ワイヤにかかるストレスを最小限にすることである。一般的に、振動伝達ワイヤは、ある種のコネクタを介してトランスデューサに結合される。コネクタのすぐ近隣にある伝達ワイヤの部分は、しばしば大きなストレスの下に置かれ、カテーテルの遠位端において所望の振動を提供するために十分な振動エネルギーが加えられるときに、緊張する（ｓｔｒａｉｎ）。このストレスおよび緊張は、伝達部材のオーバヒーティングおよび望ましくない衰耗をもたらし得、したがって、ワイヤが切断され、カテーテルデバイスの耐用年数が短くなる。
【０００７】
一部の振動カテーテルデバイスは、一つ以上の吸収部材を含み、そこで振動伝達ワイヤの近位端がトランスデューサコネクタに取り付けられる。たとえば、一つのそのような吸収部材は、米国特許第５，３８２，２２８号に記載されている。しかし、そのような吸収部材は、緩んだりトランスデューサコネクタから切り離されたりしやすくあり得るという点で、欠点を有し得、したがって、カテーテルの内部で緩く動く物体になり得、振動エネルギーの伝達を妨害し、カテーテルの効力を低減させる。
【０００８】
したがって、血管の内腔などの内腔における閉塞の除去および／または崩壊を提供する改善された振動カテーテルデバイスおよび方法に対するニーズが存在する。理想的には、そのような振動カテーテルは、振動伝達部材の近位端にかかるストレスおよび緊張をも防止または低減しながら、デバイスの遠位端において所望のレベルのパワーを提供し得る。また理想的には、そのようなデバイスは、容易に製造され得、伝達部材のトランスデューサコネクタとの接続箇所において、可能な限り少ないパーツを有し得る。これらの目的のうちの少なくとも一部は、本発明によって満たされる。
【特許文献１】米国特許第５，２６７，９５４号明細書
【特許文献２】米国特許第５，３８０，２７４号明細書
【発明の開示】
【課題を解決するための手段】
【０００９】
（本発明の概要）
本発明の一局面において、血管などの内腔における閉塞を崩壊する振動カテーテルは、細長い柔軟なカテーテル本体であって、近位端と、遠位端と、該カテーテルを通して長手方向に伸びる少なくとも一つの内腔と有する、カテーテル本体と、該カテーテル本体の該内腔を通して長手方向に伸び、近位端と遠位端とを有する、振動伝達部材と、該伝達部材を振動エネルギー源に結合するための、該振動伝達部材の該近位端に取り付けられた境界コネクタであって、該境界コネクタはボアを備え、該ボアの中に該振動伝達部材の該近位端が伸びる、境界コネクタとを含む。該境界コネクタは、該ボアの内部に収容された該振動伝達部材の、取り付けられた最も遠位の部分に、最も小さな大きさの取り付け力を及ぼすように、該振動伝達部材の該近位端が、可変取り付け力によって該境界コネクタの該ボアの内部に取り付けられる。
【００１０】
一部の実施形態において、上記振動エネルギー源は、超音波トランスデューサなどの、しかしそれに限定されない、トランスデューサを備える。一部の実施形態において、上記境界コネクタは、一緒に取り付けられた複数のピースを備え得るが、他の実施形態において、上記境界コネクタは、ワンピースの突出を備える。一実施形態において、上記境界コネクタの近位接続部材はスレッドを備え、該スレッドは上記振動エネルギー源上のスレッドに対して相補的である。代替的に、任意の他の適切な接続デバイスが使用され得る。
【００１１】
一部の実施形態において、上記境界コネクタは、近位から遠位にテーパーされた遠位部分を備え、該遠位部分が、上記ボアの近位末端から該ボアの遠位開口部へと伸びる。そのような実施形態において、上記遠位部分のより狭い遠位の部分に対するよりも、該遠位部分のより広い近位の部分に対して、より大きなクリンピング力を加えるために、上記境界コネクタの上記テーパーされた遠位部分をクリンピングすることによって、上記振動伝達部材が該ボアの内部に取り付けられる。別の実施形態において、上記境界コネクタは、遠位部分を備え、該遠位部分は、第１の半径を有し、上記ボアの近位末端から遠位に伸びる、第１の階段状の部分と、該第１の半径よりも小さな第２の半径を有し、該第１の階段状の部分の遠位端から前記ボアの遠位開口部へと伸びる、第２の階段状の部分とを含む。これらの後者の実施形態において、上記第１の階段状の部分をクリンピングすることによって、上記振動伝達部材が上記ボアの内部に取り付けられ得、その結果、上記第２の階段状の部分よりも該第１の階段状の部分に対して、より大きなクリンピング力を加える。
【００１２】
別の実施形態において、上記ボアは、第１の半径を有し、該ボアの近位末端から遠位の伸びる、第１の階段状の部分と、該第１の半径よりも大きな第２の半径を有し、該第１の階段状の部分の遠位端から該ボアの遠位開口部へと伸びる、第２の階段状の部分とを備える。オプションとして、そのような実施形態において、上記境界コネクタをクリンピングすることによって、上記振動伝達部材が上記ボアの内部に取り付けられ得、その結果、上記第２の階段状の部分よりも上記第１の階段状の部分に対して、より大きなクリンピング力を加える。一部の場合において、クリンピングする前に、上記振動伝達部材と、上記ボアの上記第２の階段状の部分との間に、スペースが存在し、クリンピングの間に該スペースが閉じる。
【００１３】
本発明の別の局面において、血管などの内腔における閉塞を崩壊させる振動カテーテルは、細長い柔軟なカテーテル本体であって、近位端と、遠位端と、該カテーテル本体を通して長手方向に伸びる少なくとも一つの内腔とを有する、カテーテル本体と、該カテーテル本体の該内腔を通して長手方向に伸び、近位端と遠位端とを有する、振動伝達部材と、境界コネクタとを含む。該境界コネクタは、該境界コネクタを振動エネルギー源に取り付ける近位接続部材と、該振動伝達部材の該近位端を受け入れるための、該境界コネクタの遠位端に開口部を有して該境界コネクタの中に伸びる、ボアとを備える。該境界コネクタが、該伝達部材の最も近位の部分に対してすぐ遠位の近隣部分におけるよりも、該伝達部材の最も近位の部分において、より大きな大きさの取り付け力を及ぼすように、該振動伝達部材の該近位端が、該境界コネクタの該遠位ボアの内部に取り付けられ、該遠位ボアの中に伸びる。このカテーテルの種々の実施形態は、上述の特徴のうちのいずれかを含み得る。
【００１４】
本発明の別の局面において、血管などの内腔における閉塞を崩壊させる振動カテーテルを製造する方法は、振動伝達部材の近位端を、境界コネクタにおけるボアの中に挿入することと、該境界コネクタの少なくとも一部をクリンピングすることによって、該振動伝達部材の該近位端を該ボアの内部に取り付けることとを含む。この方法において、該境界コネクタが、該ボアの内部に収容された該振動伝達部材の、取り付けられた最も遠位の部分に対して、最も小さな大きさの取り付け力を及ぼすように、可変の大きさのクリンピング力を加えることによって、該伝達部材を該ボアの内部に取り付ける。
【００１５】
一部の実施形態において、上記クリンピングが、上記振動伝達部材と平行な接触面を有するクリンピングツールを用いて実行され、より大きな大きさのクリンピング力が、上記ボアの上にある上記境界コネクタの形成された部分を介して加えられる。代替的な実施形態において、上記クリンピングが、上記振動伝達部材と平行な接触面を有するクリンピングツールを用いて実行され、より大きな大きさのクリンピング力が、形成された部分を介して加えられる。別の代替的な実施形態において、上記クリンピングが、上記ボアの上にある上記境界コネクタのより遠位の部分に接触する前に、該ボアの上にある該境界コネクタの近位部分に接触する接触面を有する、テーパーされたクリンピングツールを用いて実行される。代替的に、上記クリンピングが、２つのクリンピング部材を用いて実行され、より近位のクリンピング部材が、より遠位のクリンピング部材よりも大きな力を加える。別の代替的な実施形態において、上記クリンピングは、クリンピングツールを用いて、上記伝達部材の最も近位の部分の上にある上記境界コネクタの第１の部分をクリンピングすることと、該クリンピングツールを該境界コネクタに沿って遠位に移動させることと、該伝達部材の近隣部分の上にある該境界コネクタの第２の部分をクリンピングすることとを含む。
【００１６】
本発明のこれらのおよび他の局面および実施形態は、添付の図面を参照して、以下にさらに詳細に説明される。
【発明を実施するための最良の形態】
【００１７】
（本発明の詳細な説明）
本発明の振動カテーテルデバイスおよび方法は、血管における閉塞の崩壊を提供する。振動カテーテルデバイスは、一般的に、カテーテル本体と、カテーテル本体の中に配置された振動エネルギー伝達部材と、振動伝達部材に結合され、カテーテル本体にまたはその遠位端の近くに配置された、遠位ヘッドとを含む。振動伝達部材は、超音波エネルギーなどの振動エネルギーを、超音波トランスデューサなどの近位振動エネルギー源から、遠位ヘッドへと伝達することによって、ヘッドを振動させ、したがって血管閉塞を崩壊させる。そのようなカテーテルデバイスの多数の特徴が、より十分に以下に説明される。
【００１８】
図１を参照すると、振動カテーテルシステム２０の一実施形態は、振動カテーテルデバイス１０と、振動エネルギージェネレータ１６とを適切に含む。カテーテルデバイス１０は、閉塞を崩壊させるための遠位ヘッド２６と、カテーテル本体２７と、カテーテルデバイス１０を振動エネルギートランスデューサ１４に結合するための近位端ノブ１２とを適切に含む。振動エネルギートランスデューサ１４は、コネクタ２８を介して超音波ジェネレータ１６に結合され、ジェネレータは、別のコネクタ２９を介して足作動式の（ｆｏｏｔ−ａｃｔｕａｔｅｄ）オン／オフスイッチ１８に結合される。ジェネレータ１６は、振動エネルギーを、トランスデューサ１４に、したがって振動カテーテル１０に提供する。カテーテルデバイス１０は、振動伝達部材（または「ワイヤ」：図示せず）をさらに含み、振動伝達部材は、カテーテル本体２７を通して伸び、エネルギーをトランスデューサ１４から遠位ヘッド２６に伝達する。デバイス１０の一部の実施形態は、急速交換ガイドワイヤ１３と、ガイドワイヤポートとを含むが、他の実施形態は、ワイヤを介したガイドワイヤの送出（ｄｅｌｉｖｅｒｙ）のための近位ガイドワイヤポートを含む。一部の実施形態において、トランスデューサ１４は、カテーテル１０のトランスデューサ１４への結合を強化するための固定デバイス（ｓｅｃｕｒｉｎｇ  ｄｅｖｉｃｅ）１５をさらに含む。システム２０の種々のコンポーネントは、任意の適切な手段を介して結合され得る。コネクタ２８および２９は、オン／オフスイッチ１８と、ジェネレータ１６と、トランスデューサ１４とを結合するための、電気コードまたはケーブル、あるいは任意の他の適切な接続デバイスを備え得る。代替的な実施形態において、オン／オフスイッチ１８は、ジェネレータ１６上に位置する。
【００１９】
近位ノブ１２に加えて、振動カテーテルデバイス１０は、イリゲーション液体を通過させるための液体入口ポート１７（またはアパーチャ）を含むＹコネクタ１１などの、一つ以上の他の種々のコンポーネントを含み得る。入口ポート１７は、イリゲーションチューブ２４に取り外し可能に結合され得、イリゲーションチューブ２４は、一実施形態において、液体冷凍（または「液体冷却」）デバイス３０に結合され得る。冷凍デバイス３０は、次に、コネクタチューブ３４を介して液体コンテナ３２に結合され得る。このイリゲーション装置は、一つ以上の液体をカテーテルデバイス１０の中に導入するために使用され得る。液体は、振動伝達部材などの、デバイスの任意の部分を冷却するために使用され得、したがってデバイス１０の衰耗を低減するのに役立つ。一部の実施形態において、液体入口ポート１７は、近位ノブ１２の上にさらに近位に（ｆａｒｔｈｅｒ  ｐｒｏｘｉｍａｌｌｙ）位置することによって、液体がノブ１２の内部に適用されることを可能にする。一部の実施形態においては、冷凍された液体が使用されるが、他の実施形態においては、イリゲーション液体は室温に保たれ得る。種々の実施形態において、酸素過飽和した（ｏｘｙｇｅｎ  ｓｕｐｅｒｓａｔｕｒａｔｅｄ）液体、滑らかな（ｌｕｂｒｉｃｉｏｕｓ）液体、または任意の他の適切な液体、または液体の組み合わせが使用され得、この場合もまた、そのような液体は、冷凍され得るかまたは室温に保たれ得る。図１に示される実施形態に対する代替的な実施形態において、冷凍デバイス３０および液体コンテナ３２は、一つのデバイスとして組み合わせられる。
【００２０】
一般的に、カテーテルデバイス１０は、ガイドワイヤの通過、吸入の適用、イリゲーション液体、色素および／または同様なものの注入および／または引き出し（ｗｉｔｈｄｒａｗｉｎｇ）のための、任意の適切な数のサイドアームまたはポート、または任意の他の適切なポートまたは接続を含み得る。また、本発明の振動カテーテル１０は、任意の適切なトランスデューサ１４、ジェネレータ１６、結合デバイスおよび／または同様なものなどの、任意の適切な近位デバイスとともに使用され得る。したがって、図１に示される例示的な実施形態、および振動カテーテル１０とともに使用される近位の装置またはシステムの以下のいかなる説明も、添付の特許請求の範囲において定義されるような本発明の範囲を限定するように解釈されるべきではない。
【００２１】
ここで図２を参照して、カテーテルデバイス１０の拡大図が示される。近位ノブ１２、Ｙコネクタ１１、入口ポート１７、カテーテル本体２７，遠位ヘッド２６，およびガイドワイヤ１３がすべて示される。カテーテル本体２７は、一般的に、柔軟なチューブ状の細長い部材であり、任意の適切な直径と、治療のために血管閉塞に到達するための長さとを有する。たとえば、一実施形態において、カテーテル本体２７は、好ましくは、約０．５ｍｍ〜約５．０ｍｍの外径を有する。比較的小さな血管における使用を意図されたカテーテルにおけるような、他の実施形態において、カテーテル本体２７は、約０．２５ｍｍ〜２．５ｍｍの外径を有し得る。カテーテル本体２７もまた任意の適切な長さを有し得る。上記に簡単に述べたように、たとえば、一部の振動カテーテル１０は、約１５０ｃｍの範囲の長さを有する。しかし、本発明の範囲から逸脱することなく、任意の他の適切な長さが使用され得る。本発明において使用され得るカテーテル本体に類似したカテーテル本体の例は、米国特許第５，２６７，９５４号および第５，９８９，２０８号に記載されており、それらは以前に参照によって本明細書中に援用された。
【００２２】
本発明の特徴は、多数の振動カテーテルデバイスのいずれにも適用され得る。例示的な振動カテーテルデバイスのより詳細な説明については、米国特許出願第１０／２２９，３７１号、第１０／３４５，０７８号、第１０／３７５，９０３号、第１０／４１０，６１７号、第１０／７２２，２０９号、および第０／９２７，９６６号に参照がなされ得、それらはすべて、以前に参照によって援用された。種々の代替的な実施形態において、本発明の局面が、任意の他の適切なカテーテルデバイスに適用される。
【００２３】
ここで図３を参照して、振動カテーテルデバイス１１０の一実施形態の近位部分が断面において示される。超音波伝達ワイヤ１４０は、境界コネクタ１５２から、カテーテルデバイス１１０の遠位端（図示せず）まで、遠位に伸びている。デバイス１１０のカテーテル本体１２７は一部分のみが示されるが、カテーテル本体１２７は、一般的に、デバイス１１０の遠位端（またはその近く）まで遠位に伸びる。カテーテルデバイス１１０はまた、内部ボア１４４を有する近位ノブ１１２（または「ハウジング」）を含む。内部ボア１４４の中には、境界コネクタ１５２と、振動伝達部材１４０の一部分と、一つ以上の振動吸収部材１５０が存在する。ノブ１１２はＹコネクタ１１１に結合され、Ｙコネクタ１１１は液体入口ポート１１７（またはアパーチャ）を含み、Ｙコネクタ１１１はカテーテル本体１２７に結合される。
【００２４】
種々の実施形態において、ノブ１１２は、ノブ１１２の外面の全体表面積を増加させるための一つ以上の表面特徴１４２を適切に含み得る。増加された表面積は、振動伝達部材１４０によって生成される熱をカテーテルデバイス１１０の外に放散させるノブ１１２の能力を向上させる。表面特徴１４２は、リッジ、ジャグ、波状起伏（ｕｎｄｕｌａｔｉｏｎ）、溝、または同様なものなどの、任意の適切なサイズまたは形状を有し得る。さらに、ノブ１１２は、アルミニウム、ステンレススチール、任意の他の伝導性金属などの、一つ以上の熱放散材料、または任意の適切な非金属伝導性材料から作られ得る。
【００２５】
たいていの実施形態において、振動伝達部材１４０、ワイヤ、または導波管は、カテーテル本体１２７の内腔を通して長手方向に伸びることによって、近位ノブ１１２の近位端に接続されたトランスデューサ（図示せず）からの振動エネルギーを、カテーテルデバイス１１０の遠位端に伝達する。振動伝達部材１４０は、超音波トランスデューサなどのトランスデューサからの振動エネルギーをカテーテル本体１２７の遠位端に効率的に伝達することが可能な任意の材料で形成され得、該材料は、純チタンまたは純アルミニウム、またはチタン合金、またはアルミニウム合金などの金属を含むがそれらに限定されない。この場合もまた、振動伝達部材１４０のさらなる詳細は、上記の参照によって援用されている特許出願に見出され得る。同様に、ノブ１１２、境界コネクタ１５２、振動吸収部材１５０、Ｙコネクタ１１１、および同様なものの説明については、援用されている特許出願に参照がなされ得る。たとえば、ノブ１１２および他の特徴は、参照によって以前に援用された米国特許出願第１０／７２２，２０９号に詳細に記載されている。
【００２６】
振動伝達部材１４０は、一般的に、境界コネクタ１５２から、ボア１４４およびＹコネクタ１１１を通して、次にカテーテル本体１２７を通して、通過する。液体入口ポート１１７は、Ｙコネクタ内の内腔と液体で連通しており、Ｙコネクタはカテーテル本体１２７を通して伸びる内腔と液体で連通している。したがって、液体入口ポート１１７の中に導入される液体は、一般的に、カテーテル本体１２７の中にカテーテル本体１２７を通して自由に流れ込むことによって、振動伝達部材１４０と接触する。液体は、カテーテル本体１２７そのものの中に位置するアパーチャなどの、遠位ヘッド（図示せず）におけるアパーチャを通して、または任意の他の適切なアパーチャまたは開口部を通して、カテーテル本体１２７から外に流れ得る。冷凍された液体、滑らかな液体、過飽和にされた食塩水またはコントラスト／食塩水混合液、または同様なものなどの、任意の適切な液体が、液体入口ポート１１７およびカテーテル本体１２７を通して通過させられ得る。冷却するおよび／または潤滑する振動伝達部材１４０は、振動伝達部材１４０の摩擦および／または衰耗を低減し得、従って振動カテーテルデバイス１１０の耐用年数を延長し、その性能を向上させる。
【００２７】
さらに、冷却液の温度および流量は、振動伝達部材１４０の温度を最適な作用範囲内の所望の温度に維持するように、特に制御され得る。特に、特定の温度範囲内で最適な物理的特性（たとえば超弾性）を示す合金によって振動伝達部材１４０が形成される本発明の実施形態において、液体入口ポート１１７から注入される冷却液の温度および流量は、振動伝達部材１４０の温度を振動伝達部材１４０がその最も望ましい物理的特性を示す温度の範囲内に維持するように、特に制御され得る。たとえば、マルテンサイト状態においては超弾性を示すがオーステナイト状態に移行するにつれて超弾性を失う形状記憶合金によって振動伝達部材１４０が形成される本発明の実施形態において、形状記憶合金がマルテンサイト状態に留まってオーステナイト状態に移行しない温度範囲内に振動伝達部材１４０の形状記憶合金を維持するように、液体入口ポート１１７を通して注入される冷却液の温度および流量を調整することが望ましい。そのような形状記憶合金がマルテンサイト状態からオーステナイト状態に移行する温度は、材料の「マルテンサイト移行温度」として公知である。したがって、これらの実施形態において、振動伝達部材１４０の形状記憶合金をそのマルテンサイト移行温度よりも低く維持するために、ポート１１７を通して注入される液体は、そのような温度にあり、そのような流量で注入され得る。
【００２８】
上述のように、一実施形態において、過飽和にされた液体が使用され得る。そのような液体の使用は、閉塞の空洞化を高め得、望ましくない組織損傷および／または同様なものを防止するのに役立ち得る。そのような液体は、たとえば、米国特許第６，６７６，９００号、第６，６２２，５４２号、第６，６１３，２８０号、第６，６０７，６９８号、第６，６０５，２１７号、第６，６０２，４６８号、第６，６０２，４６７号、第６，５９６，２３５号、第６，５８２，３８７号、第６，５７６，８０７号、第６，５５８，５０２号、第６，５５５，０５９号、第６，５３３，７６６号、第６，４５４，９９７号、第６，３８７，３２４号、第６，３４６，１９２号、第６，３１５，７５４号、第６，２４８，０８７号、第６，２３５，００７号、第６，１８０，０５９号、第６，１４２，９７１号、第６，１２３，６９８号、第６，０３０，３５７号、第５，９７６，１１９号、第５，９５７，８８９号、第５，８９３，８３８号、および第５，７９７，８７６号に記載されており、これらは参照によって本明細書によって援用されている。別の実施形態において、同一または類似の結果を達成するために、コントラスト色素と食塩水との混合が使用され得る。
【００２９】
ここで図４Ａから４Ｃを参照して、振動トランスデューサに接続するための振動伝達部材１４０および境界コネクタ２５２の近位部分の一実施形態が示される。境界コネクタ２５２は、超音波トランスデューサなどの振動トランスデューサに取り付けるための近位接続部材２１０を含む。コネクタ２５２はまた、テーパーの（ｔａｐｅｒｅｄ）遠位部分２１２を含み、遠位部分２１２はコネクタ２５２の遠位端からその中に伸びるボア２１６を有する。振動伝達部材１４０の近位端は、ボア２１６の中に伸び、遠位部分２１２は、クリンピングデバイス２１４を使用して伝達部材１４０の近位端の上にクリンピングダウンされる（ｃｒｉｍｐｅｄ  ｄｏｗｎ）（クリンピング動作は図４Ａにおいて先端が白い矢印によって指定される）。図４Ａに示されるように、クリンピング力は、超音波伝達部材１４０の長さに沿った長手方向の軸と平行に方向付けられたクリンピングデバイス２１４を介して、テーパーの遠位部分２１２に加えられる。したがって、クリンピングデバイス２１４は、遠位部分２１２の遠位端に接触して力を加える前に、遠位部分２１２の近位端に接触して力を加え始める。
【００３０】
さらにここで図４Ｂを参照すると、説明したばかりの技術を使用して遠位部分２１２をクリンピングすることによって、伝達部材１４０のすぐ近隣のより遠位の部分に対して加えられるクリンピング力（先端が白い矢印）よりも大きなクリンピング力（先端が黒い矢印）が、伝達部材１４０の取り付けられた最も近位の部分に対して、遠位部分２１２によって加えられる。この可変クリンピング力を伝達部材１４０に加えることによって、境界コネクタ２５２の遠位部分２１２は、その遠位端の近くで生じる振動動作を吸収し、したがって、伝達部材１４０がボア２１６に入る地点（ｐｏｉｎｔ）における伝達部材１４０へのストレスを低減する。このストレス低減は、伝達部材１４０の衰耗を低減するのに役立ち、したがってカテーテルデバイスの耐用年数を延長する。
【００３１】
図４Ｃは、取り付けられた振動伝達部材１４０および境界コネクタ２５２を示す。種々の実施形態において、境界コネクタ２５２は、ワンピースの部材であり得るか、または代替的に２つ以上の一緒に取り付けられたピースを含み得る。近位の接続部材２１０は、境界コネクタ２５２をトランスデューサに取り外し可能に取り付けるための任意の適切な取り付け手段を含み得、それはたとえばトランスデューサ上の相補的なスレッドの中にねじ留めするためのスレッド、またはスナップフィットコネクタなどであるが、それらに限定されない。
【００３２】
ここで図５Ａから５Ｃを参照すると、境界コネクタ３５２の代替的な実施形態は、近位接続部材２１０と遠位部分３１２とを含み、遠位部分３１２は、ボア２１６と、近位ステップ３２２と、遠位ステップ３２０とを含む。近位ステップ３２２は、遠位ステップ３２０よりも大きな外径を有する。したがって、クリンピング力が遠位部分３１２に加えられるときに、図５Ａに示されるように（先が白い矢印）、クリンピングデバイス２１４は近位ステップ３２２のみに接触する。力は、近位ステップ３２２を通して遠位ステップ３２０に間接的に加えられるが、図５Ｂに示されるように、遠位ステップ３２０を介するよりも大きな力（先が黒い矢印）が、近位ステップ３２２を介して伝達部材１４０に加えられる。この可変クリンピング力は、遠位ステップ３２０が伝達部材１４０の振動を吸収することを可能にし、したがって衰耗を低減する。
【００３３】
図５Ｃは、組み立てられた境界コネクタ３５２および振動伝達部材１４０の斜視図である。
【００３４】
ここで図６Ａから６Ｃを参照すると、境界コネクタ４５２の代替的な実施形態は、近位接続部材２１０と遠位部分４１２とを含み、遠位部分４１２は、広げられた開口部４１８を有するボア４１６を有する。図６Ａを参照すると、境界コネクタ４５２を振動伝達部材１４０に取り付けるために、カテーテルの長手方向の軸にほぼ沿って方向付けられたクリンピングデバイス２１４を介して、クリンピング力（先の白い矢印）が加えられる。図６Ｂに示されるように、この実施形態において、クリンピング力は、伝達部材１４０のまわりの広げられた遠位開口部４１８を閉じる。したがって、クリンピングプロセスは、遠位部分のすぐ近隣のより近位の部分を介するよりも、遠位部分４１２の最も遠位の部分を介して、より小さな力（先の白い矢印）を伝達部材１４０に加える。この場合もまた、この可変クリンピング力は、境界コネクタ４５２の遠位端における振動吸収を可能にし、したがって振動伝達部材へのストレスを低減する。
【００３５】
図６Ｃは、組み立てられた境界コネクタ４５２および振動伝達部材１４０の斜視図である。
【００３６】
ここで図７Ａから７Ｃを参照すると、境界コネクタ４６２の代替的な実施形態は、近位接続部材２１０と遠位部分４７２とを含み、遠位部分４７２は、近位の末端４７６から広げられた遠位開口部４７４へと広がるボア４７８を有する。広げられた遠位開口部４７４は、開口部４７４と伝達部材１４０との間にスペースを形成する。図７Ａを参照すると、境界コネクタ４６２を振動伝達部材１４０に取り付けるために、カテーテルの長手方向の軸にほぼ沿って方向付けられたクリンピングデバイス２１４を介して、クリンピング力（先の白い矢印）が加えられる。図７Ｂに示されるように、クリンピング力は、伝達部材１４０のまわりの広げられた遠位開口部４７４を閉じる。したがって、クリンピングプロセスは、遠位部分のすぐ近隣のより近位の部分を介するよりも（先の黒い矢印）、遠位部分４７２の最も遠位の部分を介して、より小さな力（先の白い矢印）を伝達部材１４０に加える。この場合もまた、可変クリンピング力は、境界コネクタ４６２の遠位端における振動吸収を可能にし、したがって振動伝達部材へのストレスを低減する。
【００３７】
ここで図８Ａから８Ｃを参照すると、境界コネクタ５４２の代替的な実施形態は、近位接続部材２１０と、ボア２１６を有する遠位部分５１２とを含む、図８Ａを参照すると、境界コネクタ５４２を振動伝達部材１４０に取り付けるために、遠位のクリンピング部材５３２ａ（先の白い矢印）および近位のクリンピング部材５３２ｂを介して、クリンピング力が加えられる。クリンピング部材５３２は、一つのクリンピングデバイスの一部であり得るが別々に制御され得るか、または代替的にクリンピング部材５３２は２つの別個のデバイスであり得る。代替的な実施形態において、一つのクリンピング部材５３２が使用され得るが、遠位部分５１２の近位および遠位の部分に対して順次に適用される。いずれの場合においても、近位のクリンピング部材５３２ｂを介して遠位部分５１２に加えられる力（先の黒い矢印）は、遠位のクリンピング部材５３２ａを介して遠位部分５１２に加えられる力（先の白い矢印）よりも大きい。
【００３８】
図８Ｂに示されるように、可変に加えられる力（先の黒い矢印および先の白い矢印）は、遠位部分５１２がその近位端の近くでより圧縮させられるようにするので、より小さな外径を有する近位ステップ５１６と、より大きな外径を有する遠位ステップ５１４とを形成する。その結果として、遠位ステップ５１４によるよりも、近位ステップ５１６によって、より大きなクリンピング力が伝達部材１４０に加えられ、したがって遠位ステップ５１４による振動吸収を可能にする。
【００３９】
図８Ｃは、組み立てられた境界コネクタ５４２および振動伝達部材１４０の斜視図であり、遠位部分５１２の近位ステップ５１６と遠位ステップ５１４とを示す。
【００４０】
本発明は、種々の実施形態および実施例への具体的な参照によって上述されたが、本発明の精神または範囲から逸脱することなく、種々の追加、修正、削除、および改変が、そのような実施形態に対してなされ得ることが理解されるべきである。したがって、すべての妥当に予見できる追加、削除、改変、および修正が、添付の特許請求項の範囲において定義されるような本発明の範囲内に含まれることが意図される。
【図面の簡単な説明】
【００４１】
【図１】図１は、本発明の実施形態に従った振動カテーテルシステムの斜視図である。
【図２】図２は、本発明の実施形態に従った振動カテーテルデバイスの側面図である。
【図３】図３は、本発明の実施形態に従った、熱放散手段を有する振動カテーテルデバイスの近位部分の断面図である。
【図４Ａ】図４Ａは、本発明の実施形態に従った、振動エネルギー源に接続するための境界コネクタに結合された振動伝達部材の近位部分の断面側面図である。
【図４Ｂ】図４Ｂは、本発明の実施形態に従った、振動エネルギー源に接続するための境界コネクタに結合された振動伝達部材の近位部分の断面側面図である。
【図４Ｃ】図４Ｃは、図４Ａおよび図４Ｂの振動伝達部材および境界コネクタの斜視図である。
【図５Ａ】図５Ａは、本発明の代替的な実施形態に従った、振動エネルギー源に接続するための境界コネクタに結合された振動伝達部材の近位部分の断面側面図である。
【図５Ｂ】図５Ｂは、本発明の代替的な実施形態に従った、振動エネルギー源に接続するための境界コネクタに結合された振動伝達部材の近位部分の断面側面図である。
【図５Ｃ】図５Ｃは、図５Ａおよび図５Ｂの振動伝達部材および境界コネクタの斜視図である。
【図６Ａ】図６Ａは、本発明の代替的な実施形態に従った、振動エネルギー源に接続するための境界コネクタに結合された振動伝達部材の近位部分の断面側面図である。
【図６Ｂ】図６Ｂは、本発明の代替的な実施形態に従った、振動エネルギー源に接続するための境界コネクタに結合された振動伝達部材の近位部分の断面側面図である。
【図６Ｃ】図６Ｃは、図６Ａおよび図６Ｂの振動伝達部材および境界コネクタの斜視図である。
【図７Ａ】図７Ａは、本発明の代替的な実施形態に従った、振動エネルギー源に接続するための境界コネクタに結合された振動伝達部材の近位部分の断面側面図である。
【図７Ｂ】図７Ｂは、本発明の代替的な実施形態に従った、振動エネルギー源に接続するための境界コネクタに結合された振動伝達部材の近位部分の断面側面図である。
【図８Ａ】図８Ａは、本発明の代替的な実施形態に従った、振動エネルギー源に接続するための境界コネクタに結合された振動伝達部材の近位部分の断面側面図である。
【図８Ｂ】図８Ｂは、本発明の代替的な実施形態に従った、振動エネルギー源に接続するための境界コネクタに結合された振動伝達部材の近位部分の断面側面図である。
【図８Ｃ】図８Ｃは、図８Ａおよび図８Ｂの振動伝達部材および境界コネクタの斜視図である。
【図１】
2008528106.tif 000003
【図２】
2008528106.tif 000004
【図３】
2008528106.tif 000005
【図４Ａ】
2008528106.tif 000006
【図４Ｂ】
2008528106.tif 000007
【図４Ｃ】
2008528106.tif 000008
【図５Ａ】
2008528106.tif 000009
【図５Ｂ】
2008528106.tif 000010
【図５Ｃ】
2008528106.tif 000011
【図６Ａ】
2008528106.tif 000012
【図６Ｂ】
2008528106.tif 000013
【図６Ｃ】
2008528106.tif 000014
【図７Ａ】
2008528106.tif 000015
【図７Ｂ】
2008528106.tif 000016
【図８Ａ】
2008528106.tif 000017
【図８Ｂ】
2008528106.tif 000018
【図８Ｃ】
2008528106.tif 000019
【国際調査報告】
2008528106.tif 000020
2008528106.tif 000021